(57)【特許請求の範囲】
【請求項１】
透明及び透光性を有するキャップ本体の筒方向外面に沿わせて色駒を具備してなる筆記具用キャップにおいて、
有底筒状を呈する前記キャップ本体の尾端部から開口部に至る筒方向外面に、周方向の他の外面よりも高く帯状に盛り上げた駒装着部を設ける共に、この駒装着部に前記色駒の厚さ及びその幅に適合させた深さと溝幅を有する縦溝を設けて、該縦溝に前記色駒を具備したことを特徴とする筆記具用キャップ。
【請求項２】
請求項１記載のキャップにおいて、縦溝を、キャップ本体の尾端部をその筒方向一側面から他側面側に折り返すように該尾端部から開口部に至る駒装着部に亘り形成すると共に、開口部側に位置する溝底には凸部を設ける一方、色駒の一端側を縦溝の前記折り返し部分に沿わせて折り返すように湾曲せしめると共に、その他端側には前記凸部に係着せしめる係止孔を開設したことを特徴とする筆記具用キャップ。
【発明の詳細な説明】
【０００１】
【発明が属する技術分野】
本発明は、ボールペン、サインペン、塗布具等の筆記具用キャップに係り、特に透明及び透光性を有する材料からなるキャップに関する。
【０００２】
【従来の技術】
近年においてはインク切れを起こす事なく、滑らかな筆記を可能とする書き味が優れている等の機能性に加えて、外観的見栄えを高める装飾性等の美的効果を図る傾向が急速に浸透しつつある。その美的効果を図る手段として、近年ではキャップ本体を透明にしたり、或いは透明なキャップ本体に色駒を具備する等の透明性と色とを組み合わせた筆記具用キャップが提案されてきている。例えば筆記具のインク色等に合わせた色材、即ちインキ色等の表示を目的とした色材を混ぜ合わせた着色材料からなる色駒を、透明及び透光性を有するキャップ本体の外面に具備してなる筆記具用キャップは数多く提案されている。
【０００３】
【発明が解決しようとする課題】
しかし乍ら、従来から知られているこの種のキャップはキャップ本体の透明及び透光性による美的効果が得られているが、色との組み合わせによる美的効果は得られていないのが現状である。然るに、従来のキャップは透明なキャップ本体の外面から大半部を浮した（離した）状態で色駒を具備せしめてなることから、色駒がキャップ本体と独立（分離）した状態で見られ、色駒との組み合わせによる美的効果はさほど得られていないものであった。
【０００４】
本発明はこの様な従来事情に鑑みてなされたもので、その目的とする処は、透明及び透光性から得られる美的効果は勿論、キャップ本体に作用する光の反射作用を利用して、色駒とキャップ本体との一体感を鮮明に引き出させてキャップ本体の透明及び透光性と色駒の色との双方の調和による美的効果を図った筆記具用キャップを提供する事にある。
【０００５】
【課題を達成するための手段】
課題を達成するために本発明は、透明及び透光性を有する透明材料からなる有底筒状のキャップ本体の筒方向外面に、筆記具のインク色等の色材を混ぜ合わせた着色材料からなる色駒を密接に沿わせて具備したことである。
斯る技術的手段によれば、キャップ本体の筒部中を進行する光が、該筒部の内外面即ち境界面に当たって方向を変える所謂光の反射作用によりキャップ本体の筒方向外面に密接に沿わせた色駒がキャップ本体の筒方向内面に写し出される。
【０００６】
又、上記キャップ本体の尾端部から開口部に至る筒方向外面に、周方向の他の部分の外面よりも高く且つ適宜の厚さと幅を有する帯状に盛り上げた駒装着部を設ける共に、この駒装着部に色駒の厚さ及び幅に適合させた深さと幅を有する縦溝を設けて、色駒を具備したことである。
斯る技術的手段によれば、色駒は筒方向外面の駒装着部の縦溝内に適合された状態でしっかりと具備されて上記した如く光の反射作用によりキャップ本体の尾端部からその開口部に至る筒方向の内面全体に亘り帯状に写し出される。それにより、キャップ本体との調和がキャップ本体との一体感により顕著に引き出される。しかも、色駒を具備する駒装着部は周方向における他の外面よりも筒方向に一段程高く盛り上がっていることで、キャップの転がり防止作用を成す。
【０００７】
更に、上記縦溝を、キャップ本体の尾端部をその筒方向一側面から他側面側に折り返すように該尾端部から開口部に至る駒装着部に亘り形成すると共に、開口部側に位置する溝底には溝の深さに相当する凸部を設けて、キャップ本体の尾端部の筒方向一側面から折り返して開口部側に亘り密接状に沿わせて具備せしめる色駒の係止孔を前記凸部に係着せしめたことである。
斯る技術的手段によれば、色駒はその一端側の湾曲部分を、キャップ本体の尾端部の筒方向一側面側から折り返す縦溝の折り返し部分に引っ掛ける如く該折り返し部分に沿わせ、且つその他端側をキャップ本体の開口部側に位置する縦溝の凸部に対して係止孔を係着せしめた状態でキャップ本体の尾端部の筒方向一側面側から開口部側に至る縦溝全長に亘り具備される。そして、斯様の如くキャップ本体の尾端部の筒方向一側面側から開口部側に至る縦溝全長に亘り具備された色駒はキャップ本体の尾端部の筒方向一側面から折り返して開口部側に亘るキャップ本体の筒方向の内面全体に亘り光の反射作用により帯状に写し出される。
【０００８】
【発明の実施の形態】
本発明の実施の具体例を図面に基づいて説明する。
図１は本発明キャップＡの実施の一例を示した縦断面図で、該キャップＡは透明及び透光性を有するキャップ本体１の筒方向外面に沿わせて色駒２を密接に具備せしめて、該色駒２がキャップ本体１に作用する光の反射作用によりキャップ本体１の筒方向内面に写し出されるようにしてなる。
【０００９】
キャップ本体１は、透明及び透光性を有する合成樹脂材料等からなる透明材料から有底筒状に成形され、その尾端部１−１  から開口部１−２  に至る筒方向外面に適宜の幅と高さにて帯状に盛り上げた駒装着部３を設けると共に、該駒装着部３には尾端部１−１  をその筒方向一側面側から他側面側に折り返して開口部１−２  側に亘る縦溝４を設けて、色駒２を嵌め込み適合させた状態で具備し得るように形成してなる。
【００１０】
又、キャップ本体１の閉鎖された尾端部１−１  には通気孔５が開設されており、幼児等が誤ってキャップＡを飲み込んだ場合、窒息する虞れがない空気の流通がキャップ本体１内を通して確保されるようになっている。この通気孔５は尾端部１−１  の筒方向球面に沿う色駒２の後述する湾曲部分２−１  を挟み込むように該色駒２の幅方向両側２カ所に開設され、キャップ本体１内と空気の流通が成されるようにしてなる（図２参照）。尚、この通気孔５はキャップ本体１の外観等を低下させる事がなく、該キャップ本体１を通して十二分の空気の流通が確保される大きさを有する適宜の開口形状（図では色駒２を挟んだ両側に尾端部１−１  の周方向の球面形状に合わせた略半月形状）に開設してなる（図３の（ロ）及び図４参照）。
更に、キャップ本体１の尾端部１−１  内にはシリコンゴム等からなる弾性体６が内設されており、軸筒Ｂの先端に装着された状態において、軸筒Ｂ先端の先口Ｃから突出する筆記部Ｄが食い込む如く入り込んで当該筆記部Ｄがシールされるようになっている（図５参照）。
【００１１】
駒装着部３は、尾端部１−１  から開口部１−２  に至るキャップ本体１の筒方向外面に、色駒２の幅よりも幅広く且つ周方向における他の部分の外面よりも一段程高く、例えば色駒２の厚さ（板厚）に相当する高さにて一段程高く平坦に盛り上げた帯状に設けて、その平坦な帯状表面に尾端部１−１  の筒方向一側面側から折り返し連設させた縦溝４を形成する。尚、キャップ本体１の周方向における他の部分の外面からこの駒装着部３の帯状表面の周囲縁に連なるその周囲部分を該外面から緩かに連設させて（図３参照）、外観上の見栄えを高めてなる。
【００１２】
縦溝４は、キャップ本体１の尾端部１−１  をその筒方向一側面から他側面側に折り返す該尾端部１−１  の折り返し部分４−１  から開口部１−２  に至る駒装着部３に亘り、色駒２の厚さ及びその幅に適合させた深さと溝幅にて形成して、色駒２をキャップ本体１の尾端部１−１  の筒方向一側面側から開口部１−２  側に至る筒方向外面に亘り適合密接せしめた状態で具備し得るように設けてなる（図１及び図４参照）。そして、キャップ本体１の開口部１−２  側に位置する縦溝４の溝底には色駒２の後述する係止孔８を係着する凸部７を一体に突設してなる。この凸部７はキャップ本体１の筒部と同様に透明である。
尚、上述した色駒２の厚さとは色駒２の後述する表面凸面部分の厚さではなく、該凸面部分が始まる色駒２の幅方向における両側縁部分の厚さのことである。
【００１３】
色駒２は、筆記具のインク色等に合わせた色材を混ぜ合わせた合成樹脂材料等の着色材料を用いて、キャップ本体１の尾端部１−１  の筒方向一側面側から折り返して開口部１−２  側に至る縦溝４の溝方向全長に亘る長さを有する帯状に形成すると共に、その一端側をキャップ本体１の尾端部１−１  の筒方向一側面側から他側面側に折り返す縦溝４の折り返し部分４−１  に合わせて湾曲せしめて、その湾曲部分２−１  を、縦溝４の折り返し部分４−１  に引っ掛ける如く該折り返し部分４−１  に沿わせた状態で開口部１−２  側に至る縦溝４全長に亘り具備し得る様に形成してなる。そして、色駒２の他端側には縦溝４の前記凸部７に係着させる係止孔８を開設して、色駒２の他端側が浮き上がらないように縦溝４内に定着し得るようにしてなる。又、色駒２の幅方向における表面形状をキャップ本体１の周方向の筒部外形に合わせて該筒部の外径よりも一回り程大きめの断面略半円弧状の凸面形状に形成して、キャップ本体１の筒部外形との形状的なバランスを考慮してなる。即ち、キャップ本体１の周方向の筒部形状（丸み形状）に合わせてなる（図３参照）。
【００１４】
従って、色駒２はその一端側の湾曲部分２−１  を、キャップ本体１の尾端部１−１  の筒方向一側面側から折り返す縦溝４の折り返し部分４−１  に引っ掛ける如く該折り返し部分４−１  に沿わせ、且つその他端側をキャップ本体１の開口部１−２  側に位置する縦溝４の凸部７に対して係止孔８を係着せしめた状態でキャップ本体１の尾端部１−１  の筒方向一側面側から開口部１−２  側に至る縦溝４全長に亘り具備される。即ち、色駒２は縦溝４の折り返し部分４−１  に対する湾曲部分２−１  の掛止と凸部７に対する係止孔８の係着とによって縦溝４に密接に適合された状態でしっかりと具備される（図１参照）。又、色駒２は縦溝４に具備された状態においてその長さ及び幅方向の各周辺縁を縦溝４の溝開口縁に対して略面一に合わせた状態でその断面略半円弧状の表面を縦溝４の溝開口縁からキャップ本体１の周方向の筒部外形に合わせた状態にて該筒部の外径よりも一回り程大きめの外径にて突出せしめてなる（図３参照）。
【００１５】
尚、この色駒２のキャップ本体１の縦溝４に対する取り付けはキャップ本体１の成形と略同時に行われる。即ち、キャップ本体１を成形する透明及び透光性を有する合成樹脂材料等の透明材料を金型内に注入充填した後、所定のタイミングをおいて色駒２を成形する着色された合成樹脂材料等の着色材料を注入充填する特殊な金型構造を利用した二重成形により、色駒２はキャップ本体１の縦溝４内に一体に成形備えられるものである。
【００１６】
而して、以上の如く構成したキャップによれば、キャップ本体１の尾端部１−１  の筒方向一側面側から折り返して開口部１−２  側に至る縦溝４に一体に具備された筒方向外面の色駒２は、キャップ本体１に作用する光の反射作用により尾端部  １−１  の筒方向一側面側から折り返して開口部１−２  側に至るキャップ本体１の筒方向内面に亘り帯状に写し出される。詳しくは色駒２の像２０が、キャップ本体１の尾端部１−１  の筒方向一側面側から折り返して開口部１−２  側に至る筒方向内面全体に亘り、キャップ本体１の筒方向外面に実際に実在している色駒２とによりキャップ本体１の透明及び透光性を有する筒部を内外面からサンドイッチ状に挟み込むように写し出される（図１及び図３参照）。それによって、透明及び透光性を有するキャップ本体１と色駒２との調和が顕著に引き出される。
又、色駒２の一端側の湾曲部分２−１  を、キャップ本体１の尾端部１−１  の筒方向一側面から折り返す縦溝４の折り返し部分４−１  に引っ掛ける如く該折り返し部分４−１  に沿わせる一方で、その他端側をキャップ本体１の開口部１−２  側に位置する縦溝４の凸部７に対して係止孔８を係着せしめた状態で色駒２を、キャップ本体１の尾端部１−１  に筒方向一側面側から開口部１−２  側に至る縦溝４全長に亘り且つ該縦溝４内に適合させた状態で具備せしめてなることから、色駒２をキャップ本体１に対してしっかりと尚且つキャップＡの外観上の美観低下を抑えてキャップ本体１との一体感を引き出した状態で具備する事ができる。
更にはキャップ本体１の透明及び透光性と色駒２の色との調和が、光の反射作用と、色駒２が縦溝４内に適合された状態で具備されていることによるキャップ本体１との一体感による相乗効果が得られることから、装飾性等の美的効果がより顕著に図られる。又、色駒２を具備する駒装着部３は周方向における他の部分の外面よりも厚みを付けた状態で筒方向に向けて帯状に盛り上がっている事から、キャップＡが周方向に転がるその転がり防止作用を成す。
【００１７】
【発明の効果】
本発明の筆記具用キャップは叙上の如く構成してなるから、下記の作用効果を奏する。
請求項１によれば、キャップ本体の筒方向外面に密接状に沿わせた色駒が、透明及び透光性を有するキャップ本体に作用する光の反射作用によりキャップ本体の筒方向内面に写し出される。即ち、色駒の像が、キャップ本体の透明及び透光性を有する筒壁を、実際に実在している筒方向外面の色駒とにより内外面からサンドイッチ状に挟み込むようにキャップ本体の筒方向内面に写し出されることから、キャップ本体の透明及び透光性と色駒の色との調和がキャップ本体に筒方向全体に亘り図られる。
【００１８】
その上、上記した如く光の反射作用によりキャップ本体の筒方向内面に亘り写し出される色駒を、キャップ本体の尾端部側から開口部側に至る駒装着部の縦溝全長に亘り且つ該縦溝に適合させた状態で具備せしめてなることから、色駒をキャップ本体に対してしっかりと尚且つキャップの外観上の美観低下を抑えたキャップ本体との一体感を引き出した状態で具備する事ができる。それにより、キャップ本体との調和がより一層効果的に図られる。そして、駒装着部はキャップ本体の周方向における他の部分の外面よりも一段程高く筒方向に盛り上がっている事から、キャップの転がり防止作用を成す。
【００１９】
請求項２によれば、上記した如く光の反射作用によりキャップ本体の筒方向内面に亘り写し出される色駒を、キャップ本体の尾端部の筒方向一側面側から折り返す縦溝の折り返し部分に対する一端側に設けた湾曲部分の掛止と、キャップ本体の開口部側に位置する縦溝の凸部に対する他端側に開設した係止孔の係着とによってキャップ本体の尾端部の筒方向一側面側から開口部側に至る縦溝全長に亘りしっかりと具備せしめる事ができる。それにより、キャップ本体との一体感がより顕著に引き出した状態で色駒をキャップ本体に具備する事ができることから、光の反射作用と、キャップ本体との一体感による相乗効果が得られ、装飾性等の美的効果がより一層効果的に且つ顕著に図られる。
【００２０】
従って、本発明によれば、キャップ本体の外面に備えられている色駒が、恰もキャップ本体の内面にも実在しているように該内面に写し出されることで、キャップ本体の透明及び透光性と色駒の色との調和が効果的に引き出された筆記具用キャップとなる。つまり、商品としての見栄えを高める装飾性等の美的効果が顕著に図られた筆記具用キャップを提供することができる。
【図面の簡単な説明】
【図１】本発明筆記具用キャップの実施の一例を示した縦断面図
【図２】図１のＩＩ−ＩＩ線縦断面図
【図３】同横断面図で、（イ）は図１のイ−イ線横断面図、（ロ）は図１のロ−ロ線横断面図
【図４】キャップ本体と色駒とを分離して示した分解斜視図
【図５】軸筒に装着した状態の縦断面図
【符号の説明】
１…キャップ本体                  １−１  …尾端部
１−２  …開口部                          ２…色駒
２−１  …湾曲部分                        ３…駒装着部
４…縦溝                          ４−１  …折り返し部分
７…凸部                            ８…係止孔
【図１】
0003628799.tif 000002
【図２】
0003628799.tif 000003
【図３】
0003628799.tif 000004
【図４】
0003628799.tif 000005
【図５】
0003628799.tif 000006